(57)【要約】【課題】本来意図している送信側からの一連のデータの送受信中に、意図しない送信側から送られてきたデータが混入しても、混入したデータを排除し、意図した送信側からのデータだけの利用が可能な仕組みの提供。【解決手段】  注文受付機２１は、発行した識別情報の埋め込まれた画像を受信すれば、その画像を受付画像として記憶し（Ａ４）、注文受付機２１の発行した識別情報の埋め込まれていない画像を受信すれば、その画像を破棄することで（Ａ５）、受信した個々の画像の中から、同一のモバイル端末１が送った一連の画像を選別できる。【選択図】  図２
2008092177.tif 000002
【特許請求の範囲】
【請求項１】
個々のデータの連続性を識別する識別情報を入力する入力部と、
前記入力部に入力された識別情報を、個々のデータに埋め込む埋込部と、
前記埋込部によって前記識別情報の埋め込まれたデータを、赤外線通信その他の無線通信方式により所望の受信端末に送信する送信部と、
を備える送信端末。
【請求項２】
前記識別情報を暗号化する暗号化部をさらに備え、
前記埋込部は、前記暗号化部によって暗号化された識別情報を、前記データに埋め込み、
前記送信部は、前記暗号化された識別情報の埋め込まれたデータを送信する請求項１に記載の送信端末。
【請求項３】
個々のデータの連続性を識別する識別情報を発行する識別情報発行部と、
所望の送信端末から、個々のデータの連続性を識別する識別情報の埋め込まれたデータを受信する受信部と、
前記識別情報発行部の発行した識別情報と前記受信部の受信したデータに埋め込まれた識別情報との照合結果に基づいて、連続するデータを選別する選別部と、
前記選別部の選別したデータを記憶する記憶部と、
を備える受信端末。
【請求項４】
前記受信部は、前記所望の送信端末から、暗号化された識別情報の埋め込まれたデータを受信し、
前記暗号化された識別情報を復号化する復号化部をさらに備え、
前記選別部は、前記識別情報発行部の発行した識別情報と前記復号化部によって復号化された識別情報との照合結果に基づいて、連続するデータを選別する請求項３に記載の受信端末。
【請求項５】
個々のデータの連続性を識別する識別情報を入力する入力部と、
前記入力部に入力された識別情報を、個々のデータに埋め込む埋込部と、
前記埋込部によって前記識別情報の埋め込まれたデータを、赤外線通信その他の無線通信方式により送信する送信部と、
個々のデータの連続性を識別する識別情報を発行する識別情報発行部と
前記送信部から、前記識別情報の埋め込まれたデータを受信する受信部と、
前記識別情報発行部の発行した識別情報と前記受信部の受信したデータに埋め込まれた識別情報との照合結果に基づいて、連続するデータを選別する選別部と、
前記選別部の選別したデータを記憶する記憶部と、
を備える通信システム。
【請求項６】
前記識別情報を暗号化する暗号化部をさらに備え、
前記埋込部は、前記暗号化部が暗号化した識別情報を、前記データに埋め込み、
前記送信部は、前記暗号化された識別情報の埋め込まれたデータを送信し、
前記受信部は、前記送信部から、前記暗号化された識別情報の埋め込まれたデータを受信し、
前記暗号化された識別情報を復号化する復号化部をさらに備え、
前記選別部は、前記識別情報発行部の発行した識別情報と前記復号化部によって復号化された識別情報との照合結果に基づいて、連続するデータを選別する請求項５に記載の通信システム。
【請求項７】
個々のデータの連続性を識別する識別情報を発行するステップと、
発行された識別情報を入力するステップと、
入力された識別情報を、個々のデータに埋め込むステップと、
前記識別情報の埋め込まれたデータを、赤外線通信その他の無線通信方式により送信するステップと、
前記識別情報の埋め込まれたデータを受信するステップと、
発行した識別情報と受信したデータに埋め込まれた識別情報との照合結果に基づいて、連続するデータを選別するステップと、
選別したデータを記憶するステップと、
を備える通信方法。
【請求項８】
個々のデータの連続性を識別する識別情報を発行する識別情報発行部と、
前記識別情報発行部の発行した識別情報を、個々のデータに埋め込む埋込部と、
前記埋込部によって前記識別情報の埋め込まれたデータを、赤外線通信その他の無線通信方式により所望の受信端末に送信する送信部と、
を備える送信端末。
【請求項９】
前記識別情報を暗号化する暗号化部をさらに備え、
前記埋込部は、前記暗号化部によって暗号化された識別情報を、前記データに埋め込み、
前記送信部は、前記暗号化された識別情報の埋め込まれたデータを送信する請求項８に記載の送信端末。
【請求項１０】
個々のデータの連続性を識別する識別情報を入力する入力部と、
所望の送信端末から、個々のデータの連続性を識別する識別情報の埋め込まれたデータを受信する受信部と、
前記入力部に入力された識別情報と前記受信部の受信したデータに埋め込まれた識別情報との照合結果に基づいて、連続するデータを選別する選別部と、
前記選別部の選別したデータを記憶する記憶部と、
を備える受信端末。
【請求項１１】
前記受信部は、前記所望の送信端末から、暗号化された識別情報の埋め込まれたデータを受信し、
前記暗号化された識別情報を復号化する復号化部をさらに備え、
前記選別部は、前記入力部に入力された識別情報と前記復号化部によって復号化された識別情報との照合結果に基づいて、連続するデータを選別する請求項１０に記載の受信端末。
【請求項１２】
個々のデータの連続性を識別する識別情報を発行する識別情報発行部と、
前記識別情報発行部の発行した識別情報を、個々のデータに埋め込む埋込部と、
前記埋込部によって前記識別情報の埋め込まれたデータを、赤外線通信その他の無線通信方式により送信する送信部と、
前記識別情報発行部の発行した識別情報を入力する入力部と、
前記送信部から、前記識別情報の埋め込まれたデータを受信する受信部と、
前記入力部に入力された識別情報と前記受信部の受信したデータに埋め込まれた識別情報との照合結果に基づいて、連続するデータを選別する選別部と、
前記選別部の選別したデータを記憶する記憶部と、
を備える通信システム。
【請求項１３】
前記識別情報を暗号化する暗号化部をさらに備え、
前記埋込部は、前記暗号化部が暗号化した識別情報を、前記データに埋め込み、
前記送信部は、前記暗号化された識別情報の埋め込まれたデータを送信し、
前記受信部は、前記送信部から、前記暗号化された識別情報の埋め込まれたデータを受信し、
前記暗号化された識別情報を復号化する復号化部をさらに備え、
前記選別部は、前記入力部に入力された識別情報と前記復号化部によって復号化された識別情報との照合結果に基づいて、連続するデータを選別する請求項１２に記載の通信システム。
【請求項１４】
個々のデータの連続性を識別する識別情報を発行するステップと、
発行された識別情報を、個々のデータに埋め込むステップと、
前記識別情報の埋め込まれたデータを、赤外線通信その他の無線通信方式により送信するステップと、
発行された識別情報を入力するステップと、
前記識別情報の埋め込まれたデータを受信するステップと、
入力された識別情報と受信したデータに埋め込まれた識別情報との照合結果に基づいて、連続するデータを選別するステップと、
選別したデータを記憶するステップと、
を備える通信方法。
【発明の詳細な説明】
【技術分野】
【０００１】
本発明は無線通信を利用して画像等の各種データ送受信を行うことの可能な端末、システムおよび方法に関する。
【背景技術】
【０００２】
従来、画像に関する各種サービス提供のため、画像の無線送受信を行うシステムが開発されている。例えば特許文献１によると、カメラ付き携帯電話で撮像した画像を、画像サービス端末からインターネット上の画像管理センターにアップロードする。画像管理センターは、電話番号などの通信端末識別データに基づいて画像管理を行う。画像管理センターは、画像の閲覧や紹介、印刷等の各種設定環境を、カメラ付き携帯電話から通信事業者経由でアクセスできるＷＷＷサービスとして提供する。印刷画像や画像データは画像サービス端末から受取れる。
【特許文献１】特開２００４−２２９１７７号公報
【発明の開示】
【発明が解決しようとする課題】
【０００３】
ところで、図５に示すように、送信側端末Ｓ１ないしＳ２と受信側端末Ｒとの間で、複数の画像を、赤外線通信のような無線通信方式で送受信する場面を想定してみる。互いを認識した送信側端末Ｓ１および受信側端末Ｒとの間で、複数画像１、２・・の送受信が行われている間に、送信側端末Ｓ１とは異なる送信側端末Ｓ２が、意図的あるいは偶然に受信側端末Ｒと通信を確立し、画像Ｚを送信したとすると、受信側端末Ｒは、これを受信してしまい、送信側端末Ｓ１から受信した一連の画像１、２・・の一部に混入されてしまうという問題がある。
【０００４】
これは、複数のデータの送受信が、個々のデータの送受信の繰り返しに過ぎないため、例えば送信側端末Ｓ１からの１つのデータ（画像１）の送信終了と次のデータ（画像２）の送信開始の間に、別の送信側端末Ｓ２の通信確立と送信側端末Ｓ２からの画像Ｚの送受信が成立してしまうことに起因する。
【０００５】
特許文献１の技術では、個々のユーザ、個々の端末は認識されるかもしれないが、個別に送られてくるデータが同一の送信元からの一連のデータであるということを示す「データの連続性」を識別する手段までは確保されていないし、受信側端末Ｒで一旦受信してしまった個々のデータから、特定の送信側端末（Ｓ１あるいはＳ２）から連続的に送られてきた一連のデータだけを選別する手段も確保されていない。
【０００６】
送信側端末Ｓ２のユーザからすれば、意図しない相手方に自分の画像が送られてしまい、プライバシー上の問題が生じうる。あるいは、特定の受信側端末Ｒに対するいたずら目的で自分の画像を送ることができてしまう。
【０００７】
受信側端末Ｒのユーザからしても、意図しない相手方から画像を受け取ってしまい、扱いに困り迷惑である。
【０００８】
特に、受信側が画像プリント機能を有しているプリント端末の場合、意図しない相手方から受け取られた画像がプリントされるおそれがあり、プライバシー上の問題が深刻であるし、いたずら目的でプリント端末の正常な利用が妨げられるおそれもある。
【０００９】
本発明はこのような問題点に鑑みてなされたもので、本来意図している送信側からの一連のデータの送受信中に、意図しない送信側から送られてきたデータが混入しても、混入したデータを排除し、意図した送信側からのデータだけの利用が可能な仕組みを提供することにある。
【課題を解決するための手段】
【００１０】
本発明に係る送信端末は、個々のデータの連続性を識別する識別情報を入力する入力部と、入力部に入力された識別情報を、個々のデータに埋め込む埋込部と、埋込部によって識別情報の埋め込まれたデータを、赤外線通信その他の無線通信方式により所望の受信端末に送信する送信部と、を備える。
【００１１】
この発明によると、個々のデータの連続性を識別する識別情報が、個々のデータに埋め込まれて送信されるから、受信側でこのデータを受信した場合、個々のデータが同一の送信元からの一連のデータであるか否かを識別・選別することができる。
【００１２】
なお、個別のデータの送信方式は特に限定されず、順次に送信してもよいし同時に送信してもよい。
【００１３】
識別情報を暗号化する暗号化部をさらに備え、埋込部は、暗号化部によって暗号化された識別情報を、データに埋め込み、送信部は、暗号化された識別情報の埋め込まれたデータを送信するとよい。
【００１４】
こうすると、識別情報の秘匿性が高まり、識別情報が不正に取得されて意図的なデータ混入がされるのを効果的に防ぐことができる。
【００１５】
本発明に係る受信端末は、個々のデータの連続性を識別する識別情報を発行する識別情報発行部と、所望の送信端末から、個々のデータの連続性を識別する識別情報の埋め込まれたデータを受信する受信部と、識別情報発行部の発行した識別情報と受信部の受信したデータに埋め込まれた識別情報との照合結果に基づいて、連続するデータを選別する選別部と、選別部の選別したデータを記憶する記憶部と、を備える。
【００１６】
この発明によると、個々のデータに埋め込まれている、個々のデータの連続性を識別する識別情報に基づいて、連続するデータを選別するから、仮に、ある第１の送信元からの一連のデータと、第１の送信元とは異なる第２の送信元からのデータとが混在していても、識別情報に基づいて、第１の送信元からの一連のデータだけを選別することができる。
【００１７】
受信部は、所望の送信端末から、暗号化された識別情報の埋め込まれたデータを受信し、暗号化された識別情報を復号化する復号化部をさらに備え、選別部は、識別情報発行部の発行した識別情報と復号化部によって復号化された識別情報との照合結果に基づいて、連続するデータを選別するとよい。
【００１８】
本発明に係る通信システムは、個々のデータの連続性を識別する識別情報を入力する入力部と、入力部に入力された識別情報を、個々のデータに埋め込む埋込部と、埋込部によって識別情報の埋め込まれたデータを、赤外線通信その他の無線通信方式により送信する送信部と、個々のデータの連続性を識別する識別情報を発行する識別情報発行部と、送信部から、識別情報の埋め込まれたデータを受信する受信部と、識別情報発行部の発行した識別情報と受信部の受信したデータに埋め込まれた識別情報との照合結果に基づいて、連続するデータを選別する選別部と、選別部の選別したデータを記憶する記憶部と、を備える。
【００１９】
識別情報を暗号化する暗号化部をさらに備え、埋込部は、暗号化部が暗号化した識別情報を、データに埋め込み、送信部は、暗号化された識別情報の埋め込まれたデータを送信し、受信部は、送信部から、暗号化された識別情報の埋め込まれたデータを受信し、暗号化された識別情報を復号化する復号化部をさらに備え、選別部は、識別情報発行部の発行した識別情報と復号化部によって復号化された識別情報との照合結果に基づいて、連続するデータを選別するとよい。
【００２０】
本発明に係る通信方法は、個々のデータの連続性を識別する識別情報を発行するステップと、発行された識別情報を入力するステップと、入力された識別情報を、個々のデータに埋め込むステップと、識別情報の埋め込まれたデータを、赤外線通信その他の無線通信方式により送信するステップと、識別情報の埋め込まれたデータを受信するステップと、発行した識別情報と受信したデータに埋め込まれた識別情報との照合結果に基づいて、連続するデータを選別するステップと、選別したデータを記憶するステップと、を備える。
【００２１】
本発明に係る送信端末は、個々のデータの連続性を識別する識別情報を発行する識別情報発行部と、識別情報発行部の発行した識別情報を、個々のデータに埋め込む埋込部と、埋込部によって識別情報の埋め込まれたデータを、赤外線通信その他の無線通信方式により所望の受信端末に送信する送信部と、を備える。
【００２２】
この発明によると、個々のデータの連続性を識別する識別情報が、個々のデータに埋め込まれて送信されるから、受信側でこのデータを受信した場合、個々のデータが同一の送信元からの一連のデータであるか否かを識別・選別することができる。
【００２３】
識別情報を暗号化する暗号化部をさらに備え、埋込部は、暗号化部によって暗号化された識別情報を、データに埋め込み、送信部は、暗号化された識別情報の埋め込まれたデータを送信するとよい。
【００２４】
本発明に係る受信端末は、個々のデータの連続性を識別する識別情報を入力する入力部と、所望の送信端末から、個々のデータの連続性を識別する識別情報の埋め込まれたデータを受信する受信部と、入力部に入力された識別情報と受信部の受信したデータに埋め込まれた識別情報との照合結果に基づいて、連続するデータを選別する選別部と、選別部の選別したデータを記憶する記憶部と、を備える。
【００２５】
この発明によると、個々のデータに埋め込まれている、個々のデータの連続性を識別する識別情報に基づいて、連続するデータを選別するから、仮に、ある第１の送信元からの一連のデータと、第１の送信元とは異なる第２の送信元からのデータとが混在していても、識別情報に基づいて、第１の送信元からの一連のデータだけを選別することができる。
【００２６】
受信部は、所望の送信端末から、暗号化された識別情報の埋め込まれたデータを受信し、暗号化された識別情報を復号化する復号化部をさらに備え、選別部は、入力部に入力された識別情報と復号化部によって復号化された識別情報との照合結果に基づいて、連続するデータを選別するとよい。
【００２７】
本発明に係る通信システムは、個々のデータの連続性を識別する識別情報を発行する識別情報発行部と、識別情報発行部の発行した識別情報を、個々のデータに埋め込む埋込部と、埋込部によって識別情報の埋め込まれたデータを、赤外線通信その他の無線通信方式により送信する送信部と、識別情報発行部の発行した識別情報を入力する入力部と、送信部から、識別情報の埋め込まれたデータを受信する受信部と、入力部に入力された識別情報と受信部の受信したデータに埋め込まれた識別情報との照合結果に基づいて、連続するデータを選別する選別部と、選別部の選別したデータを記憶する記憶部と、を備える。
【００２８】
識別情報を暗号化する暗号化部をさらに備え、埋込部は、暗号化部が暗号化した識別情報を、データに埋め込み、送信部は、暗号化された識別情報の埋め込まれたデータを送信し、受信部は、送信部から、暗号化された識別情報の埋め込まれたデータを受信し、暗号化された識別情報を復号化する復号化部をさらに備え、選別部は、入力部に入力された識別情報と復号化部によって復号化された識別情報との照合結果に基づいて、連続するデータを選別するとよい。
【００２９】
本発明に係る通信方法は、個々のデータの連続性を識別する識別情報を発行するステップと、発行された識別情報を、個々のデータに埋め込むステップと、識別情報の埋め込まれたデータを、赤外線通信その他の無線通信方式により送信するステップと、発行された識別情報を入力するステップと、識別情報の埋め込まれたデータを受信するステップと、入力された識別情報と受信したデータに埋め込まれた識別情報との照合結果に基づいて、連続するデータを選別するステップと、選別したデータを記憶するステップと、を備える。
【発明の効果】
【００３０】
この発明によると、個々のデータの連続性を識別する識別情報が、個々のデータに埋め込まれて送信されるから、受信側でこのデータを受信した場合、個々のデータが同一の送信元からの一連のデータであるか否かを、個々のデータに埋め込まれた識別情報に基づいて識別・選別することができる。
【発明を実施するための最良の形態】
【００３１】
＜第１実施形態＞
以下、添付した図面を参照し、本発明の好ましい実施形態について説明する。
【００３２】
図１は本発明の好ましい実施形態に係るプリントシステムの概略構成図である。
【００３３】
このシステムは、携帯電話１ａやデジタルカメラ１ｂなどで構成されたモバイル端末１と、店頭端末機２とを備えている。
【００３４】
ここでは、本発明の「送信端末」をモバイル端末１、「受信端末」を店頭端末機２で例示する。ただし、送信端末や受信端末は、本実施形態で例示されるものに限定される必然性はなく、画像を送信ないし受信できる構成を有している装置であれば、何でもよい。例えば、送信端末および受信端末の双方が、携帯電話１ａであってもよい。
【００３５】
店頭端末機２は、典型的にはコンビニエンス・ストアやＤＰＥ（Develop Print Enlargement）店等の多店舗展開を特徴とする店舗の店頭に設置される。
【００３６】
店頭端末機２は、注文受付機２１と、メディアリーダ２２と、１または複数のプリンタ２３−１，・・２３−ｎを備えている。
【００３７】
モバイル端末１と注文受付機２１とは、ＢｌｕｅｔｏｏｔｈやＩｒＤＡ規格に従った赤外線通信など所定の規格に従い、画像その他のデータを直接無線で送受信できるようになっている。
【００３８】
店頭端末機２のプリンタ２３は、携帯電話１ａやデジタルカメラ１ｂによる撮影によって得られた画像を印刷して写真プリントを作成する機能を有する。当該画像を示す画像データは、モバイル端末１に対して着脱可能に構成された図示しないメモリカードを店頭端末機２のメディアリーダ２２に挿入することで、注文受付機２１に入力することもできる。ただし、モバイル端末１から注文受付機２１へ画像データを直接送信してもよい。
【００３９】
また、どの画像を何枚プリントするか、画像に合成したいテンプレート、あるいは画像の加工に関する内容など、写真プリントの注文内容を示す注文情報は、注文受付機２１のタッチパネル等の入力手段を介して注文受付機２１に入力することができる。あるいは、モバイル端末１で注文情報を受け付け、これを注文受付機２１に無線送信することで、注文受付機２１に入力することができる。
【００４０】
注文受付機２１は、注文情報に従い、入力された画像データに、適宜画像合成、画像分割等の加工や、色／濃度調整等の画像処理を施し、画像処理後の画像データと注文情報に基づいて、プリントデータを作成し、ジョブの待ちが最も少ないプリンタ２３に出力する。
【００４１】
プリンタ２３は、注文受付機２１からプリントデータを入力すると、これに基づいて所定の記録媒体に印画し、写真プリントの作成を行う。
【００４２】
作成された写真プリントは、図示しない排出口から店頭端末機２の外部に排出され、ユーザは出来上がった写真プリントを受け取ることができる。あるいは、排出された写真プリントを、ユーザの住所に配送することも可能である。
【００４３】
注文情報の入力画面は、注文受付機２１が有する表示画面に表示される。モバイル端末１のユーザは、注文受付機２１に備えられた、タッチパネルあるいはキー等の入力受付装置により、注文情報入力画面を介して、プリントサイズ、プリント枚数などの指示（命令）を入力していくことで、注文受付機２１で受け付け可能な形式の注文情報を作成する。
【００４４】
次に、図２を参照し、プリントシステムの画像通信処理の流れを説明する。本図の処理ステップＡ１〜Ａ６は店頭端末機２の注文受付機２１が実行する処理であり、処理ステップＢ１〜Ｂ５はモバイル端末１の実行する処理である。
【００４５】
Ａ１では、モバイル端末１のユーザが注文受付機２１を操作し、そのユーザのプリント注文情報に固有の識別情報の発行を指示する。注文受付機２１は、ユーザからの指示に応じて、識別情報を発行する。識別情報は、文字、数字あるいはその組み合わせで表現される注文受け付けコードを兼ねる。
【００４６】
Ｂ１では、ユーザがモバイル端末１に、注文受付機２１の発行した識別情報を入力する。識別情報の入力の態様は特に限定されず、例えば、識別情報を埋め込んだバーコードやＱＲコードをプリンタ２３あるいは図示しないレシートプリンタで媒体にプリントするか、注文受付機２１の注文情報入力画面に表示し、このバーコードやＱＲコードを、モバイル端末１で読み取ることが挙げられる。あるいは、モバイル端末１のキー操作によりユーザが直接識別情報を入力する方法や、注文受付機２１が直接識別情報をモバイル端末１（携帯電話１ａ）にメールなどで送信する方法が挙げられる。
【００４７】
Ｂ２では、モバイル端末１が注文受付機２１に送信してプリントしようとする各画像データに、入力された識別情報を埋め込む。識別情報を画像データに埋め込む態様は特に限定されず、例えば、画像データのヘッダ部分に埋め込む方法や、Ｅｘｉｆ画像ファイルのタグ情報に追加する方法、あるいは識別情報をランダム化して画像データ本体に埋め込む方法（電子すかし）が考えられる。
【００４８】
識別情報を暗号化してセキュリティを高めるには、入力された識別情報を所定の方式（例えば秘密鍵暗号化方式や公開鍵暗号方式）で暗号化し（Ｂ２−１）、暗号化された識別情報（暗号鍵）を画像に埋め込むとよい（Ｂ２−２）。あるいは、識別情報だけでなくその画像データそのものを暗号化してもよい。
【００４９】
なお、プリント注文のために送信しようとする画像データは、予めモバイル端末１のキー操作などで所望のものが選択可能であるとする。
【００５０】
Ｂ３では、モバイル端末１は、識別情報の埋め込まれた画像データである識別情報付き画像を、順次注文受付機２１に送信する（図３（ａ）参照）。あるいは、複数の識別情報付き画像を、時分割方式で一挙に送ってもよい（図３（ｂ）参照）。いずれの方式にせよ、同一のプリント注文に関する一連の画像に同一の識別情報が埋め込まれているから、画像を受信した注文受付機２１側で同じモバイル端末１から送られてきた同一のプリント注文に関する一連の画像を識別できるのである。
【００５１】
Ａ２では、注文受付機２１は、モバイル端末１から識別情報付き画像を受信する。
【００５２】
Ａ３では、注文受付機２１は、受信した識別情報付き画像から識別情報を読み出す。そして、Ａ１で発行した識別情報と読み出した識別情報とを照合し、両者が一致するか否かを判断する。両者が一致する場合はＡ４、一致しない場合はＡ５に移行する。
【００５３】
なお、受信した識別情報付き画像の識別情報が暗号化されている場合は、予め用意された復号鍵で復号化した上で、Ａ１で発行した識別情報と照合するとよい。
【００５４】
Ａ４では、注文受付機２１は、受信した識別情報付き画像を、モバイル端末１から正常に受信した画像（受付画像）として記憶する。その後、注文受付機２１は、受付画像を一覧表示し、この中からプリントしたい画像を選択させ、選択された画像を所望のレイアウト、所望のサイズでプリンタ２３にプリントさせる。
【００５５】
Ａ５では、注文受付機２１は、受信した識別情報付き画像を、モバイル端末１から正常に受信した画像でないものとして破棄する。
【００５６】
Ｂ４では、送信すべき画像が他に存在するか否かを判断する。存在する場合はＢ２に戻り、識別情報の埋め込みと識別情報付き画像の送信を続行する。全ての画像が送信された場合はＢ５に移行する。
【００５７】
Ｂ５では、モバイル端末１は、通信が完了した旨を示す通信完了通知を注文受付機２１に送信する。送信以外の手段として、注文受付機２１のタッチパネル等の入力手段を介して入力しても良い。
【００５８】
Ａ６では、注文受付機２１は、通信完了通知を受信したか否かを判断する。通信完了通知を受信しない場合はＡ２に戻って引き続き識別情報付き画像の受信を行い、通信完了通知を受信した場合は、モバイル端末１との通信を終え、プリント注文に供される画像の受信を終える。
【００５９】
このように、注文受付機２１は、発行した識別情報の埋め込まれた画像を受信すれば、その画像を受付画像として記憶し、注文受付機２１の発行した識別情報の埋め込まれていない画像を受信すれば、その画像を破棄することで、受信した個々の画像の中から、同一のモバイル端末１が送った一連の画像を選別できる。
【００６０】
従って、注文受付機２１が、意図しないモバイル端末１から送られてきた画像を受付画像として記憶し、プリントしてしまうことを防ぐことができる。逆にいえば、意図するモバイル端末１から送られてきた画像のみを受付画像として記憶することができ、プリント注文に関係のない画像を意図的に受付画像に混入させるいたずらの防止や、偶然誤送信された画像が受付画像に混入しプライバシーの問題が生じるのを未然に防止できるという効果を発揮する。
【００６１】
＜第２実施形態＞
識別情報の発行は受信側で行う必然性はなく、送信側で行うこともできる。
【００６２】
すなわち、図４に示すように、モバイル端末１が識別情報の発行を行い（Ａ１）、注文受付機２１が、モバイル端末１の発行した識別情報の入力をタッチパネルなどから受け付ける（Ｂ１）ようにする。
【００６３】
このようにＡ１およびＢ１の処理主体が第１実施形態と逆転するが、その他の処理は第１実施形態とほぼ同様であり、Ａ２〜Ａ６は注文受付機２１が、Ｂ２〜Ｂ５はモバイル端末１が実行する。
【００６４】
ただし、Ｂ２では、モバイル端末１が発行した識別情報を個々の画像データに埋め込む。Ａ３では、注文受付機２１は、入力された識別情報と画像データに埋め込まれた識別情報とを照合する。画像データに埋め込まれた識別情報が暗号化されている場合は、復号化した上で入力された識別情報と照合する。
【００６５】
なお、モバイル端末１の発行する識別情報として、携帯電話１ａの電話番号やデジタルカメラ１ｂの製造番号をそのまま利用してもよい。ただし、この場合、識別情報を暗号化した上で埋め込む方が好ましい。
【００６６】
本実施形態では、識別情報の発行をモバイル端末１でコントロールできるから、モバイル端末１のユーザが、自分の送った画像が意図しない店頭端末機２に記憶されてしまうのを主体的に防ぐことができる。
【００６７】
＜その他の実施形態＞
上記第１ないし第２実施形態は、画像データの送受信だけでなく、音声データなどの各種データの送受信に適用しうるのはいうまでもない。例えば、送信側で個々の音声データに識別情報を埋め込んで送り、受信側では個々の音声データに埋め込まれた識別情報と受信側で発行した識別情報とを照合することで、個々の音声データの中から同一の送信元からの一連の音声データを選別できる。
【図面の簡単な説明】
【００６８】
【図１】プリントシステムの構成図
【図２】第１実施形態に係る通信処理の流れを示すフローチャート
【図３】複数の画像データを送信する方式の一例を示す図
【図４】第２実施形態に係る通信処理の要部を示すフローチャート
【図５】従来の無線通信システムにおける画像通信の一例を示す図
【符号の説明】
【００６９】
１：モバイル端末、２：店頭端末機、２１：注文受付機
【図１】
2008092177.tif 000003
【図２】
2008092177.tif 000004
【図３】
2008092177.tif 000005
【図４】
2008092177.tif 000006
【図５】
2008092177.tif 000007